(57)【要約】【課題】絶縁碍子から突出したステップ部がバランスした姿勢を維持し、各種作業の邪魔にもならないようにした簡易足場を提供する。【解決手段】簡易足場は、上下方向に大径部１１１と小径部１１２とが交互に配置された絶縁碍子１１０を取り付け対象とする。簡易足場は、足場部材１０と紐状部材１４とを備えている。足場部材１０は、上下方向で対向する大径部１１１と大径部１１１との間に配置可能な絶縁碍子用の支持部を有する基部１１と、基部１１の両側端から互いに先端同士が離反するように延びる一対のステップ部１２，１３とを備えている。紐状部材１４は、絶縁碍子１１０の小径部１１２に巻き掛けられ、一端１４ａが一方のステップ部１２に連結され、他端１４ｂが他方のステップ部１３に連結可能とされている。【選択図】図１
2015190148.tif 000002
【特許請求の範囲】
【請求項１】
上下方向に大径部と小径部とが交互に配置された絶縁碍子の上下方向で対向する大径部と大径部との間に配置可能な絶縁碍子用の支持部を有する基部及び該基部の両側端から互いに先端同士が離反するように延びる一対のステップ部を含む足場部材と、
一端が基部又はステップ部に連結され、他端が基部又はステップ部に連結可能とされる紐状部材であって、中間が絶縁碍子の小径部に巻掛可能な紐状部材とを備えていることを特徴とする簡易足場。
【請求項２】
前記絶縁碍子用の支持部の先端側は、絶縁碍子の小径部に対応する円弧状とされていることを特徴とする請求項１に記載の簡易足場。
【請求項３】
前記絶縁碍子用の支持部は、絶縁碍子の大径部の外周に向けて先下りにした上面に対応するテーパ部を備えていることを特徴とする請求項１又は２に記載の簡易足場。
【請求項４】
互いに交差する一対の鋼材を有する骨組構造に取り付けるための骨組構造用の支持部であって、前記基部から前記絶縁碍子用の支持部と反対側に突出し、一対の鋼材の交差部上に配置可能な骨組構造用の支持部を備えていることを特徴とする請求項１ないし３のいずれか一項に記載の簡易足場。
【請求項５】
前記基部又はステップ部は、連結した紐状部材の他端に対する抜止部を備えていることを特徴とする請求項１ないし４のいずれか一項に記載の簡易足場。
【請求項６】
前記紐状部材は、長手方向における少なくとも一部に伸縮部を備えていることを特徴とする請求項１ないし５のいずれか一項に記載の簡易足場。
【発明の詳細な説明】
【技術分野】
【０００１】
本発明は、上下方向に大径部と小径部とが交互に配置された絶縁碍子を取付対象とする簡易足場に関する。
【背景技術】
【０００２】
変電所や鉄塔などには、絶縁碍子が起立姿勢で設置されている。絶縁碍子は、上下方向に交互に配置された大径部と小径部とを備えている。このような絶縁碍子に対して、定期的な保守点検や清掃などの各種作業が行われている。この各種作業において使用する簡易足場が提供されている（例えば、特許文献１参照）。
【０００３】
この種の簡易足場は、絶縁碍子の小径部に巻き付けられるベルト部材と、一対の足場部材とを備えている。各足場部材は、ベルト部材に取り付けられた基部と、基部から延出したステップ部とを備えている。ベルト部材が絶縁碍子の小径部に巻き付くことで、基部が絶縁碍子に宛がわれる。そして、基部からステップ部が突出する。作業者は、ステップ部上に足を乗せた状態で各種作業を行う。
【先行技術文献】
【特許文献】
【０００４】
【特許文献１】特許第５１０５８５７号公報
【発明の概要】
【発明が解決しようとする課題】
【０００５】
しかし、上記簡易足場は、一対の足場部材が別体とされていることから、各ステップ部が各基部から不安定な状態で絶縁碍子から突出する。したがって、上記簡易足場は、作業者がステップ部上に乗ったとき、特に踏ん張ったときに、各ステップ部には各基部を支点にしたモーメントが作用する。したがって、この簡易足場は、ステップ部が斜め下向きとなり、作業者がステップ部から足を踏み外す危険性を有している。
【０００６】
ステップ部にモーメントが作用しても、ステップ部が斜め下向きにならないようにするため、簡易足場は、ベルト状の吊下部材を備える。吊下部材の各端部は、基部に取り付けられる。そして、吊下部材の中間部は、ベルト部材が巻き付けられた絶縁碍子の小径部よりも上方の小径部に巻き付けられる。したがって、一対の足場部材は、吊下部材に吊り下げられた状態となり、斜め下向きにならない。
【０００７】
しかし、一対の足場部材が斜め下向きにならないようにするには、吊下部材にテンションが掛けられるように、吊下部材の中間部を絶縁碍子の小径部に巻き付けなければならないといった面倒な作業が必要となる。また、吊下部材は、絶縁碍子の複数の大径部に跨ることから、絶縁碍子に対する各種作業の邪魔にもなる。
【０００８】
そこで、本発明は、絶縁碍子から突出したステップ部がバランスした姿勢を維持し、各種作業の邪魔にもならないようにした簡易足場を提供することを課題とする。
【課題を解決するための手段】
【０００９】
本発明に係る簡易足場は、上下方向に大径部と小径部とが交互に配置された絶縁碍子の上下方向で対向する大径部と大径部との間に配置可能な絶縁碍子用の支持部を有する基部及び該基部の両側端から互いに先端同士が離反するように延びる一対のステップ部を含む足場部材と、一端が基部又はステップ部に連結され、他端が基部又はステップ部に連結可能とされる紐状部材であって、中間が絶縁碍子の小径部に巻掛可能な紐状部材とを備えていることを特徴としている。
【００１０】
この簡易足場によれば、足場部材が基部と一対のステップ部とを備え、基部に備えられた絶縁碍子用の支持部が絶縁碍子の上下方向で対向する大径部と大径部との間で当接する状態となり、紐状部材によって小径部の方に引き寄せられることにより、足場部材が絶縁碍子に取り付けられる。したがって、紐状部材は、複数の大径部に跨らないことから、各種作業の邪魔にならない。
【００１１】
そして、絶縁碍子に取り付けられた足場部材に備えられている一対のステップ部は、絶縁碍子の外周縁から二方向に突出する。ステップ部は、互いに先端同士が離反するように基部の両側端から延びているため、絶縁碍子の外周縁から離反する方向に突出する。また、絶縁碍子に取り付けられた足場部材に備えられている絶縁碍子用の支持部は、上下方向に対向する大径部と大径部との間に配置され、下側の大径部上に載った状態となる。
【００１２】
そして、作業者が一対のステップ部上に乗ったときに、各ステップ部に作業者の体重（荷重）が掛かることで、各ステップ部に反対向きのモーメントが作用し、基部の絶縁碍子用の支持部から下側の大径部上に荷重が掛かり、絶縁碍子の外周縁から離反する方向に突出したステップ部は、バランスした姿勢を維持し、傾斜した姿勢とならない。したがって、この一対のステップ上に乗った作業者は、ステップ部から足を踏み外すことがない。
【００１３】
ここで、本発明に係る簡易足場の一態様として、前記絶縁碍子用の支持部の先端側は、絶縁碍子の小径部に対応する円弧状とされている構成を採用することができる。
【００１４】
この簡易足場によれば、絶縁碍子の上下方向で対向する大径部と大径部との間に基部の絶縁碍子用の支持部が配置されたときに、円弧状とされた絶縁碍子用の支持部の先端側が絶縁碍子の小径部に部分的に沿うようになり、絶縁碍子の大径部と大径部との間に配置される基部の絶縁碍子用の支持部の領域が広範囲になる。
【００１５】
また、本発明に係る簡易足場の他態様として、前記絶縁碍子用の支持部は、絶縁碍子の大径部の外周に向けて先下りにした上面に対応するテーパ部を備えている構成を採用することができる。
【００１６】
この簡易足場によれば、絶縁碍子の大径部が外周に向けて先下りの上面を有する場合において、絶縁碍子の上下方向で対向する大径部と大径部との間に基部の絶縁碍子用の支持部が配置されたときに、絶縁碍子用の支持部に備えられたテーパ部が絶縁碍子の大径部に設けられた先下りの上面に沿う状態となり、絶縁碍子用の支持部が絶縁碍子の上下方向で対向する大径部と大径部との間に楔のように食い込む。
【００１７】
また、本発明に係る簡易足場のさらに異なる他態様として、互いに交差する一対の鋼材を有する骨組構造に取り付けるための骨組構造用の支持部であって、前記基部から前記絶縁碍子用の支持部と反対側に突出し、一対の鋼材の交差部上に配置可能な骨組構造用の支持部を備えている構成を採用することができる。
【００１８】
この簡易足場は、互いに交差する一対の鋼材を有する骨組構造にも取り付けることができるものとなる。すなわち、骨組構造用の支持部が、互いに交差する一対の鋼材の交差部上に載る状態となる。そして、簡易足場は、紐状部材が一対の鋼材に巻き掛けられることで骨組構造に取り付けられる。
【００１９】
また、本発明に係る簡易足場のさらに異なる他態様として、前記基部又はステップ部は、連結した紐状部材の他端に対する抜止部を備えている構成を採用することができる。
【００２０】
この簡易足場によれば、紐状部材の他端が基部又はステップ部に連結された状態において、この紐状部材の他端が抜止部によって位置ずれせず、したがって、ステップ部から抜けないようにすることができる。
【００２１】
また、本発明に係る簡易足場のさらに異なる他態様として、前記紐状部材は、長手方向における少なくとも一部に伸縮部を備えている構成を採用することができる。
【００２２】
この簡易足場によれば、伸縮部が伸ばされ、長手方向に伸縮可能な状態で絶縁碍子の小径部に巻き掛けられたときに、伸縮部の収縮力によって基部を絶縁碍子に強く取り付けることができる。
【発明の効果】
【００２３】
本発明によれば、絶縁碍子から突出したステップ部がバランスした姿勢を維持し、各種作業の邪魔にもならないようにした簡易足場を提供することができる。
【図面の簡単な説明】
【００２４】
【図１】図１は、本発明に係る簡易足場の第１の実施形態を示す概略斜視図である。
【図２】図２は、本発明に係る簡易足場の第１の実施形態であって第１の使用例を示す一部断面平面図である。
【図３】図３は、本発明に係る簡易足場の第１の実施形態であって第１の使用例を示す概略正面図である。
【図４】図４は、本発明に係る簡易足場の第１の実施形態であって第２の使用例を示す概略正面図である。
【図５】図５は、本発明に係る簡易足場の第１の実施形態であって第２の使用例を示す一部断面平面図である。
【図６】図６は、本発明に係る簡易足場の第２の実施形態を示す概略斜視図である。
【図７】図７は、本発明に係る簡易足場の第２の実施形態であって第１の使用例を示す一部断面平面図である。
【図８】図８は、本発明に係る簡易足場の第２の実施形態であって第２の使用例を示す概略正面図である。
【発明を実施するための形態】
【００２５】
本発明に係る簡易足場の第１の一実施形態について図１ないし図５を参照しながら説明する。この第１の実施形態に係る簡易足場は、図３に示すような上下方向に大径部１１１と小径部１１２とが交互に配置された絶縁碍子１１０と、図４に示すような互いに交差する一対の鋼材１２１，１２２を有する骨組構造１２０とを取付対象とする。なお、絶縁碍子１１０の大径部１１１は、外周に向けて先下りとした上面１１１ａを有している。
【００２６】
この第１の実施形態に係る簡易足場は、足場部材１０と紐状部材１４とを備えている。足場部材１０は、絶縁碍子１１０の上下方向で対向する大径部１１１と大径部１１１との間に配置可能な絶縁碍子用の支持部（以下、「第１支持部」という。）１１ａを有する基部１１と、この基部１１の両側端から先端同士がが離反するように延びる一対のステップ部１２，１３とを備えている。
【００２７】
基部１１は、変形板状に形成されている。すなわち、第１支持部１１ａは、先端側を絶縁碍子１１０の小径部１１２に対応する円弧状とした変形板状に形成されている。また、第１支持部１１ａは、絶縁碍子１１０の大径部１１１の外周に向けて先下りとした上面１１１ａに対応する先細りのテーパ部１１ｃを備えている。
【００２８】
そして、基部１１は、第１支持部１１ａと反対側に突出した骨組構造用の支持部（以下、「第２支持部」という。）１１ｂを備えている。第２支持部１１ｂは、一対の鋼材１２１，１２２の交差部上に配置可能とされている。したがって、第２支持部１１ｂは、一対の鋼材１２１，１２２の交差部上に載せられやすいように先細り形状とされている。なお、図示した第２支持部１１ｂの先端部は、台形状としているが、円弧状としてもよい。
【００２９】
このような基部１１の両側端から延びる一対のステップ部１２，１３は、円柱状に形成され、その先端同士がが離反するように延び、基部１１を介して直線状に並んでいる。ただし、図示しないが、一対のステップ部１２，１３は、基部１１を中心に、第１支持部１１ａの方へ等角度で折れ曲がるように形成されてもよいし、第２支持部１１ｂの方へ等角度で折れ曲がるように形成されてもよい。
【００３０】
いずれにしても、一方のステップ部１２の基端部に紐状部材１４の一端１４ａが連結されている。紐状部材１４は、絶縁碍子１１０の小径部１１２に巻き掛けられ、他端１４ｂが他方のステップ部１３に連結可能とされている。なお、紐状部材１４の一端１４ａは基部１１に連結され、紐状部材１４の他端１４ｂは基部１１に連結可能とされてもよい。
【００３１】
そして、他方のステップ部１３の基端部には、連結された紐状部材１４の他端１４ｂが他方のステップ部１３から抜けないようにするための抜止部１５が備えられている。抜止部１５は、円柱状のステップ部１３を縮径して設けられる。また、一方のステップ部１２の基端部にも縮径部（採番せず）を設けることが好ましい。
【００３２】
両ステップ部１２，１３に縮径部が設けられることにより、紐状部材１４が絶縁碍子１１０の小径部１１２又は骨組構造１２０の鋼材１２１，１２２に複数回巻き掛けられ、両ステップ部１２，１３の基端部にも複数回巻き付けられても、紐状部材１４が各ステップ部１２，１３の表面からはみ出ないようにして、作業者に踏まれないようにすることができる。なお、抜止部１５は、図示しないが、ステップ部１３を拡径することによって、あるいは、突部を設けることによって備えられてもよい。
【００３３】
そして、紐状部材１４は、長手方向における少なくとも一部に伸縮部１４ｃを備えている。紐状部材１４の伸縮部１４ｃが伸ばされ、長手方向に伸縮可能な状態で絶縁碍子１１０の小径部１１２又は骨組構造１２０の鋼材１２１，１２２に巻き掛けられたときに、伸縮部１４ｃの収縮力によって基部１１を絶縁碍子１１０又は骨組構造１２０に強く取り付けることができる。
【００３４】
ここで、この簡易足場が絶縁碍子１１０を取付対象とする場合について図２及び図３を参照しながら説明する。簡易足場を絶縁碍子１１０に取り付けるには、まず、基部１１の第１支持部１１ａを絶縁碍子１１０の上下方向で対向する大径部１１１と大径部１１１との間に配置し、円弧状に形成された第１支持部１１ａの先端側を小径部１１２に部分的に沿わせた状態とする。
【００３５】
そして、紐状部材１４の一端１４ａが一方のステップ部１２の基端部に連結され、紐状部材１４の他端１４ｂが他方のステップ部１３の基端部に連結されていない状態で、伸ばされた紐状部材１４の中間部を絶縁碍子１１０の小径部１１２に巻き掛ける。そして、紐状部材１４の他端１４ｂを他方のステップ部１３の基端部に連結する。この紐状部材１４は、上下方向で対向する大径部１１１と大径部１１１との間の小径部１１２にのみ巻き掛けられ、他の小径部１１２に巻き掛けられないため、保守点検や清掃などの各種作業の邪魔になることがない。
【００３６】
また、紐状部材１４が伸びた状態で絶縁碍子１１０の小径部１１２に巻き掛けられ、他方のステップ部１３の基端部に連結されると、紐状部材１４の伸縮部１４ｃの収縮力によって、基部１１が絶縁碍子１１０の小径部１１２側に引き寄せられ、強固に取り付けられる。この基部１１から延びた一対のステップ部１２，１３は、絶縁碍子１１０の外周縁から先端同士がが互いに離反する方向に突出する。
【００３７】
したがって、作業者の各足が各ステップ部１２，１３上に乗せられたときに、各ステップ部１２，１３に作業者の体重（荷重）が掛かることで、各ステップ部１２，１３に反対向きのモーメントが作用する。そして、基部１１の第１支持部１１ａから下側の大径部１１１上に荷重が掛かり、一対のステップ部１２，１３は、バランスした姿勢を維持し、傾斜した姿勢とならない。したがって、この一対のステップ部１２，１３上に乗った作業者は、ステップ部１２，１３から足を踏み外すことがない。
【００３８】
次に、この簡易足場が骨組構造１２０を取付対象とする場合について図４及び図５を参照しながら説明する。簡易足場を骨組構造１２０に取り付けるには、簡易足場の第２支持部１１ｂを骨組構造１２０の鋼材１２１，１２２の交差部上に載せる。第２支持部１１ｂは、先細り形状とされているため、一対の鋼材１２１，１２２の間隔と第２支持部１１ｂの幅が一致する部位で支持される。そして、紐状部材１４が一対の鋼材１２１，１２２に巻き付けられることにより、基部１１が一対の鋼材１２１，１２２の交差部に強固に取り付けられる。
【００３９】
この基部１１から延びている一対のステップ部１２，１３は、一対の鋼材１２１，１２２から突出する状態となる。したがって、作業者が各ステップ部１２，１３に足を乗せたときに、各ステップ部１２，１３には、反対向きのモーメントが作用し、第２支持部１１ｂから一対の鋼材１２１，１２２の交差部に荷重が掛かるため、各ステップ部１２，１３は傾斜した姿勢とならない。したがって、この一対のステップ部１２，１３上に乗った作業者は、ステップ部１２，１３から足を踏み外すことがない。
【００４０】
次に、本発明に係る簡易足場の第２の実施形態について図６ないし図８を参照しながら説明する。第２の実施形態に係る簡易足場も、第１の実施形態と同じく、絶縁碍子１１０又は骨組構造１２０を取付対象とする。
【００４１】
第２の実施形態に係る簡易足場は、図６に示すように、直線棒状の足場部材２０と、紐状部材２４とを備えている。足場部材２０は、基部２１と一対のステップ部２２，２３とを連続一体化した構成とされている。そして、基部２１からは、第１の実施形態におけるような第１支持部１１ａ及び第２支持部１１ｂが突出せず、基部２１自体が第１支持部及び第２支持部となる。
【００４２】
また、紐状部材２４の一端２４ａは、基部２１又は一方のステップ部２２に連結され、紐状部材２４の他端２４ｂは、基部２１又は他方のステップ部２３に連結可能とされている。図示しないが、第１の実施形態で説明したように、基部２１又はステップ部２２，２３に紐状部材２４の他端２４ｂに対する抜止部を備えてもよい。また、紐状部材２４は、長手方向における少なくとも一部に伸縮部を備えていることが好ましい。
【００４３】
このような第２の実施形態に係る簡易足場は、図７に示すように、絶縁碍子１１０に取り付けられる。すなわち、簡易足場の基部２１が絶縁碍子１１０の上下方向で対向する大径部１１１と大径部１１１との間に配置され、紐状部材２４が小径部１１２に巻き掛けられることで、基部２１が絶縁碍子１１０の小径部１１２に引き寄せられ、強固に取り付けられる。そして、この基部２１から延びた一対のステップ部２２，２３は、絶縁碍子１１０の外周縁から先端側が離反する方向に突出している。
【００４４】
そして、第２の実施形態に係る簡易足場は、図８に示すように骨組構造１２０にも取り付けられる。この場合の簡易足場は、基部２１が骨組構造１２０の一対の鋼材１２１，１２２の交差部上に載せられた状態で支持され、紐状部材２４が骨組構造１２０の鋼材１２１，１２２に巻き掛けられることで取り付けられる。そして、基部２１の両側のステップ部２２，２３が一対の鋼材１２１，１２２の交差部から突出する。
【００４５】
第２の実施形態において、絶縁碍子１１０に取り付けられた簡易足場も、骨組構造１２０に取り付けられた簡易足場も、この一対のステップ部２２，２３上に作業者が乗ったときに、各ステップ部２２，２３に反対向きのモーメントが作用し、基部２１から絶縁碍子１１０の下側の大径部１１１上又は骨組構造１２０の一対の鋼材１２１，１２２の交差部上に荷重が掛かることで、一対のステップ部２２，２３は、バランスした姿勢を維持する。したがって、この一対のステップ部２２，２３上に乗った作業者は、ステップ部２２，２３から足を踏み外すことがない。
【００４６】
なお、本発明は、前記実施の形態に限定することなく種々変更することができる。例えば、第１の実施形態における簡易足場は、骨組構造１２０にも取り付けられるように第２支持部１１ｂを備えた。しかし、絶縁碍子１１０のみを取付対象とする簡易足場は、第２支持部１１ｂを備えなくてもよい。
【００４７】
また、第１の実施形態における第１支持部１１ａの先端側は、絶縁碍子１１０の小径部１１２に対応する円弧状とした。しかし、第１支持部１１ａの先端側は、絶縁碍子１１０の小径部１１２を余裕をもって部分的に囲むような円弧形状としてもよい。
【００４８】
また、第１の実施形態における第１支持部１１ａは、絶縁碍子１１０の大径部１１１の上面が傾斜している場合に、その傾斜した上面に沿うようにテーパ部１１ｃを備えた。しかし、絶縁碍子１１０の大径部１１１の上面が傾斜していない場合は、第１の支持部は、当然ながらテーパ部１１ｃを備えないものとする。
【００４９】
また、第１及び第２の実施形態の基部１１，２１又はステップ部１２，１３、２２，２３は、抜止部１５を備えた。しかし、紐状部材１４，２４の他端１４ｂ，２４ｂを紐状部材１４、２４の一端１４ａ，２４ａに括り付けるなどする場合においては、必ずしも抜止部１５を備えなくてもよい。また、第１及び第２の実施形態のステップ部１２，１３、２２，２３は、円柱状とした。しかし、ステップ部１２，１３、２２，２３は、上面に平坦部を有する平板状としてもよい。また、第１及び第２の実施形態の紐状部材１４，２４は、長手方向における少なくとも一部に伸縮部１４ｃを備えた。しかし、紐状部材１４，２４は、必ずしも伸縮部１４ｃを備えなくてもよい。
【符号の説明】
【００５０】
１０………足場部材
１１………基部
１１ａ……絶縁碍子用の支持部（第１支持部）
１１ｂ……骨組構造用の支持部（第２支持部）
１１ｃ……テーパ部
１２………ステップ部
１３………ステップ部
１４………紐状部材
１４ａ……（紐状部材の）一端
１４ｂ……（紐状部材の）他端
１４ｃ……伸縮部
１５………抜止部
２０………足場部材
２２………ステップ部
２３………ステップ部
２４………紐状部材
２４ａ……（紐状部材の）一端
２４ｂ……（紐状部材の）他端
１１０……絶縁碍子
１１１……大径部
１１１ａ…上面
１１２……小径部
１２０……骨組構造
１２１……鋼材
１２２……鋼材
【図１】
2015190148.tif 000003
【図２】
2015190148.tif 000004
【図３】
2015190148.tif 000005
【図４】
2015190148.tif 000006
【図５】
2015190148.tif 000007
【図６】
2015190148.tif 000008
【図７】
2015190148.tif 000009
【図８】
2015190148.tif 000010